(57)【要約】      （修正有）【課題】任意のHDMIコネクター・ソケットと簡単に相互挿着接続できるHDMIコネクターの構造を提供する。【解決課題】HDMIコネクターの片面に挿着バネを嵌設し、挿着バネの前端部に数個の嵌着ブロックを設け、且つ嵌着ブロックは何れもHDMIコネクターの外部に突き出て露出し、又、挿着バネの前方に収容スペースを形成してHDMIコネクター・ソケットの挿着バネ前端の突起部がその中に嵌入されることによって、本件のHDMIコネクターの構造を形成する。また、HDMIコネクターを市販の統一規格HDMIコネクター・ソケットに挿入し、最内部まで挿入すると、挿着バネがHDMIコネクター・ソケットの既存開口部に挿着され、HDMIコネクター及びHDMIコネクター・ソケットが相互に安定して挿着し、且つ従来のHDMIコネクター・ソケットのバネに既存の突起部を利用して、HDMIコネクターの挿着バネ前方の収容スペースの中に嵌入する。【選択図】図１
0003134744.tif 000002
【実用新案登録請求の範囲】
【請求項１】
HDMIコネクターを市販の統一規格HDMIコネクター・ソケットに挿着接続出来るHDMIコネクターの構造であって、前記HDMIコネクターの任意の片面に挿着バネを嵌設すると共に、挿着バネに一個以上の嵌着ブロックを設置し、且つ挿着バネの前方に収容スペースを形成することを特徴とするHDMIコネクターの構造。
【請求項２】
前記HDMIコネクターをHDMIコネクター・ソケットに挿着接続するとき、前記HDMIコネクターの挿着バネの嵌着ブロックがHDMIコネクター・ソケットの既存開口部に嵌入されることを特徴とする請求項１に記載のHDMIコネクターの構造。
【請求項３】
前記HDMIコネクターをHDMIコネクター・ソケットに挿着接続するとき、前記HDMIコネクターの収容スペースは従来型HDMIコネクター・ソケットのバネ前端部の突起部を受容して収容スペースの中に嵌着させることを特徴とする請求項１に記載のHDMIコネクターの構造。
【考案の詳細な説明】
【技術分野】
【０００１】
本考案は、HDMIコネクターの構造、特に任意のHDMIコネクター・ソケットと簡単に相互挿着接続できるHDMIコネクターの構造に関する。
【背景技術】
【０００２】
一般に従来型HDMIコネクターとHDMIコネクター・ソケットを接続する方式は、ただ単純にHDMIコネクターを従来型HDMIコネクター・ソケットに直接差し込むだけで、接続動作を完成している。しかし、この接続方式を強化固定する如何なる挿着装置もない。そのため、HDMIコネクターが外力によって引っ張られた場合、HDMIコネクターとHDMIコネクター・ソケットが外れ易く、万一外れた場合、ユーザーは再び接続動作をしなければならず、かなり不便且つ面倒である。
【０００３】
これによって分かるように、上述従来のHDMIコネクターには尚幾多の欠点があり、よい設計とは言い難く、改良が待たれていた。本案考案者は、上述従来のHDMIコネクターに派生する各項の欠点に鑑み、極力新規改善を試み、且つ長年苦心研鑽の末、ついに本案HDMIコネクターの構造の研究開発に成功した。
【考案の開示】
【考案が解決しようとする課題】
【０００４】
本考案の目的は、挿着バネに備わる弾力性及び面積が大きい特性を利用することによって、挿着バネの使用寿命を延長し、弾性疲労を軽減し、且つ製作精密度もあまり高くする必要がなく、使用寿命のほかにも、製品製作の合格率を高め、部品の製造コストを有効にさげることの出来るHDMIコネクターの構造を提供することにある。
【０００５】
本考案の次の目的は、従来型HDMIコネクター・ソケットの挿着バネに既存する突起部を利用し、HDMIコネクターの挿着バネ前方の収容スペースの中に挿着することによって、任意のHDMIコネクター・ソケットに応用できるHDMIコネクターの構造を提供することにある。
【課題を解決するための手段】
【０００６】
上記実用新案の目的を達成できるHDMIコネクターの構造は、HDMIコネクターと、挿着バネなどの構成部品によって組成される；前記HDMIコネクターの片面に挿着バネを設けると共に、挿着バネの前端に一個以上の嵌着ブロックを設置し、且つ前記挿着バネの嵌着ブロックはHDMIコネクターの外部に突き出て露出し、又、挿着バネの前方に収容スペースを形成し、HDMIコネクター・ソケットのバネ前端の突起部を前記収容スペースの中に嵌入出来るようにすることによって、本件HDMIコネクターの構造を形成する；使用に際しては、HDMIコネクターを市販の統一規格HDMIコネクター・ソケットの中に差し込み、最内部まで差し込むと、挿着バネの嵌着ブロックがHDMIコネクター・ソケットに予め設けられた開口部へ嵌入する。この方式によって、HDMIコネクターとHDMIコネクター・ソケットを相互に安定して接続させ、更に従来型HDMIコネクター・ソケットの挿着バネに既存する突起部を利用し、HDMIコネクターの挿着バネ前方の収容スペースの中に嵌入させ、任意のHDMIコネクター・ソケットに応用できる効能を持たせる。
【０００７】
図１〜図３Ａ、図３Ｂは、本考案の提供するHDMIコネクターの構造であり、主として、任意の片面に挿着バネ１１を嵌設したHDMIコネクター１と、前記挿着バネ１１の前端部に設置され、且つ前記HDMIコネクター１の外部に突き出て露出した一個以上の嵌着ブロック１２と、前記挿着バネ１１の前方に形成された収容スペース１３とを含み、前記HDMIコネクター１は、市販の任意規格のHDMIコネクター・ソケット２に対して応用できるようにしてある。
【０００８】
図２Ａ、図２Ｂ、図２Ｃは、前記HDMIコネクターの構造の断面図である。その中で、HDMIコネクター１及びHDMIコネクター・ソケット２の外部はゴム層（図示せず）を被せてもよい；HDMIコネクター１をHDMIコネクター・ソケット２の中に差入し（図２Aに示すように）、HDMIコネクター１が最内部まで挿入されると、前記HDMIコネクター１の挿着バネ１１の嵌着ブロック１２がHDMIコネクター・ソケット２の開口２１に嵌入されると共に、HDMIコネクター・ソケット２の挿着バネ２２前端の突起部が収容スペース１３（図２Bに示すように）に嵌り、HDMIコネクター１及びHDMIコネクター・ソケット２が相互に挿着した状態となる；図２Cに示すように、HDMIコネクター１をHDMIコネクター・ソケット２から離脱させるときは、ただHDMIコネクター１の挿着バネ１１を下へ押すだけでよい；前記挿着バネ１１は下へ押されて挿着バネ１１の嵌着ブロック１２をHDMIコネクター・ソケット２の開口２１から離脱させ、HDMIコネクター１をHDMIコネクター・ソケット２から簡単に抜き取ることが出来る；このように、上述各構成部品の組成によって、本件のHDMIコネクターの構造を形成することが出来、且つ前記挿着バネ１１に備わる弾力性及び面積が大きい特性を利用して、使用寿命を大幅に延長することが出来、且つ前記挿着バネ１１は弾性疲労を起こしにくいので、相対的に製作精密度を高くする必要がなく、又、製品合格率を有効に向上させ、部品のコストダウンを達成できる。
【考案の効果】
【０００９】
本考案の提供するHDMIコネクターの構造は、その他従来の技術に比べ、更に下記のような長所がある
【００１０】
1、本考案は、挿着バネに備わる弾力性及び面積が大きい特性を利用することによって、挿着バネの使用寿命を延長し、弾性疲労を軽減し、且つ製作精密度もあまり高くする必要がなく、使用寿命のほかにも、製品製作の合格率を高め、部品の製造コストを有効に引きさげることが出来る。
【００１１】
2、本考案は、従来型HDMIコネクター・ソケットの挿着バネに既存する突起部を利用し、HDMIコネクターの挿着バネ前端の収容スペースの中に嵌入させ、本考案を任意のHDMIコネクター・ソケットに応用することができる。
【００１２】
3、本考案は、操作が簡易で、製造コストが安い。
【００１３】
以上の詳細な説明は、本考案の実行可能な実施例の具体的説明である。但し前記実施例は本考案の請求範囲を制限するものではなく、凡そ本考案の技芸精神を逸脱せずなされる等価実施又は変更は、すべて本考案の請求範囲に含まれるものとする。
【００１４】
以上を総合すると、本考案は、空間形態上で確かに創造的であるのみならず、且つ従来の物品に比べ上述多項目にわたる効能を増進しており、既に新規性及び進歩性の法定実用新案登録請求の要件を十分満たしておるものとして、法によって請求する次第である。
【図面の簡単な説明】
【００１５】
【図１】HDMIコネクターの構造の斜視図
【図２Ａ】前記HDMIコネクターの構造の実施断面図
【図２Ｂ】前記HDMIコネクターの構造の実施断面図
【図２Ｃ】前記HDMIコネクターの構造の実施断面図
【図３Ａ】前記HDMIコネクターの構造とHDMIコネクター・ソケットを組合わせた斜視図
【図３Ｂ】前記HDMIコネクターの構造とHDMIコネクター・ソケットを組合わせた斜視図
【符号の説明】
【００１６】
１．      HDMIコネクター
１１．    挿着バネ
１２．    嵌着ブロック
１３．    収容スペース
２．      HDMIコネクター・ソケット
２１．    開口
２２．    バネ
２２１．突起部
【図１】
0003134744.tif 000003
【図２Ａ】
0003134744.tif 000004
【図２Ｂ】
0003134744.tif 000005
【図２Ｃ】
0003134744.tif 000006
【図３Ａ】
0003134744.tif 000007
【図３Ｂ】
0003134744.tif 000008